(57)【要約】【課題】貫通孔への装着作業の容易化を図ると同時に、充填材の支持機能を確保しながら貫通孔の内径変動を容易に吸収する。【解決手段】構造体Ｆに形成された貫通孔Ｈとこれに挿通された長尺体Ｃとの間の環状空間Ｓ内に入り込んだ位置で充填材を受止め可能な略環状で、かつ、その環状方向の一箇所が自由端１ａとなる開閉可能な受止め部Ａ１の環状方向複数箇所に、前記構造体Ｆにおける貫通孔Ｈの開口周縁に係止可能な係止部Ａ２が設けられているとともに、前記受止め部Ａ１の自由端１ａ側の外周縁が、他の部位の外周縁よりも径方向内方に偏倚させて形成されている。【選択図】図１
2008240271.tif 000002
【特許請求の範囲】
【請求項１】
構造体に形成された貫通孔とこれに挿通された長尺体との間の環状空間内に入り込んだ位置で充填材を受止め可能な略環状で、かつ、その環状方向の一箇所が自由端となる開閉可能な受止め部の環状方向複数箇所に、前記構造体における貫通孔の開口周縁に係止可能な係止部が設けられているとともに、前記受止め部の自由端部側の外周縁が、他の部位の外周縁よりも径方向内方に偏倚させて形成されている充填材支持具。
【請求項２】
前記受止め部の内方偏倚領域の外周縁が、自由端側ほど小径となるテーパー状又はそれに近い形状に形成されている請求項１記載の充填材支持具。
【請求項３】
前記受止め部が板金製であり、この受止め部の一箇所又は環状方向複数箇所には、該受止め部を縮拡径させるための塑性変形可能な脆弱部が形成されている請求項１又は２記載の充填材支持具。
【請求項４】
前記受止め部が板金製であり、この受止め部のうち、これの自由端と径方向で対向する一箇所又はこれを含む環状方向の複数箇所には、該受止め部を縮拡径させるための塑性変形可能な脆弱部が形成されている請求項１又は２記載の充填材支持具。
【請求項５】
前記脆弱部が、前記受止め部の径方向内方に向かって開口する切込みによって構成されている請求項３又は４記載の充填材支持具。
【請求項６】
前記受止め部が板金製であり、この受止め部のうち、これの自由端と径方向で対向する一箇所を含む複数箇所には、該受止め部を縮拡径させるための塑性変形可能な脆弱部が形成され、この脆弱部の各々が、前記受止め部の径方向内方に向かって開口する切込みによって構成され、そのうち、前記受止め部の自由端と径方向で対向する中央位置の切込みが、他の部位の切込みよりも環状方向で広幅に形成されている請求項１又は２記載の充填材支持具。
【請求項７】
前記受止め部の外周縁のうち、前記中央切込みの中心線と交差する部位に、径方向外方に突出する凸部が一体形成されている請求項６記載の充填材支持具。
【請求項８】
構造体に形成された貫通孔とこれに挿通された長尺体との間の環状空間内に入り込んだ位置で充填材を受止め可能な略環状で、かつ、その環状方向の一箇所が自由端となる開閉可能な板金製の受止め部の環状方向複数箇所に、前記構造体における貫通孔の開口周縁に係止可能な係止部が設けられているとともに、前記受止め部の自由端側に偏倚した部位には、これから自由端までの部位を径方向内方側に折り曲げるための塑性変形可能な脆弱部が形成されている充填材支持具。
【発明の詳細な説明】
【技術分野】
【０００１】
本発明は、躯体や防火区画仕切壁等の構造体に形成された貫通孔とこれに挿通された空調配管やケーブル等の長尺体との間の環状空間を防火用パテ等の充填材で閉塞する場合に用いられる充填材支持具に関する。
【背景技術】
【０００２】
従来、この種の充填材支持具としては、前記貫通孔と長尺体との間の環状空間に入り込み可能な円環状の受止め部を、その中心を通る直径方向で二分割された半円環状の分割受止め板から構成するとともに、前記各分割受止め板の環状方向二箇所には、前記貫通孔の内周壁面に沿って開口側に延出される脚片と、前記構造体における貫通孔の開口周縁に係止可能な状態で前記脚片の先端を径方向外方に直角に折り曲げて形成された係止片とからなる係止部を連設し、前記一つの分割受止め板と２つの係止部とから分割支持具を構成していた（例えば、特許文献１参照）
【０００３】
【特許文献１】特開平７−１８０２３８号公報
【発明の開示】
【発明が解決しようとする課題】
【０００４】
従来の充填材支持具は、一対の分割支持具を構造体の貫通孔内に装着する必要があるため、その装着に手間取り易く、しかも、前記各分割支持具の分割受止め板が、前記貫通孔の内径よりも僅かに小なる外径で１８０度の半円環状に構成されているため、前記貫通孔の内径が設定内径よりも小さく製作されている現場では、前記両分割受止め板の両端部同士を重ね合わせても、前記両分割受止め板の重合端面の外周縁が径方向外方に飛び出すため、その飛び出し外周縁が構造体における貫通孔の開口周縁に引っ掛かって挿入することができない問題があった。
【０００５】
また、前記各分割支持具の分割受止め板の半周長を、前記貫通孔の内径の変動を吸収するために短く構成することが考えられるが、これによる場合は、前記貫通孔の内径が設定内径に構成されている現場では、前記貫通孔内に装着された両分割受止め板の端面間に大きな隙間が発生するために、充填材の支持機能が低下するばかりでなく、その隙間の範囲で両分割支持具がズレ動き易く、貫通孔の防火処置に多くの手間を要する不都合がある。
【０００６】
本発明は、上述の実状に鑑みて為されたものであって、その主たる課題は、前記貫通孔への装着作業の容易化を図ると同時に、充填材の支持機能を確保しながら貫通孔の内径変動を容易に吸収することのできる充填材支持具を提供する点にある。
【課題を解決するための手段】
【０００７】
本発明による第１の特徴構成は、構造体に形成された貫通孔とこれに挿通された長尺体との間の環状空間内に入り込んだ位置で充填材を受止め可能な略環状で、かつ、その環状方向の一箇所が自由端となる開閉可能な受止め部の環状方向複数箇所に、前記構造体における貫通孔の開口周縁に係止可能な係止部が設けられているとともに、前記受止め部の自由端部側の外周縁が、他の部位の外周縁よりも径方向内方に偏倚させて形成されている点にある。
【０００８】
上記特徴構成によれば、前記構造体に形成された貫通孔とこれに挿通された長尺体との間の環状空間内に入り込んだ位置で充填材を受止める際、環状方向の一箇所が自由端となる略環状の受止め部を開閉操作することにより、該受止め部の外径を現場の貫通孔の内径に応じて調整することができるが、特に、前記貫通孔の内径が設定内径よりも小さい場合において、前記受止め部の両自由端を重合させた状態で縮径操作したとき、この受止め部の自由端部側の外周縁が他の部位の外周縁よりも径方向内方に偏倚する分だけ、該受止め部の内方偏倚領域の外周縁が径方向外方に飛び出すことを抑制することができる。
【０００９】
従って、前記貫通孔への装着作業の容易化を図ると同時に、充填材の支持機能を確保しながら貫通孔の内径変動を容易に吸収することができるから、貫通孔の防火処置作業能率の向上を図ることができる。しかも、前記受止め部の自由端部側の外周縁を他の部位の外周縁よりも径方向内方に偏倚させて形成するだけであるから、前記受止め部の製造コストの高騰化を抑制することができる。
【００１０】
本発明による第２の特徴構成は、前記受止め部の内方偏倚領域の外周縁が、自由端側ほど小径となるテーパー状又はそれに近い形状に形成されている点にある。
【００１１】
上記特徴構成によれば、前記受止め部の両自由端を重合させた状態で縮径操作したとき、この受止め部の内方偏倚領域の外周縁が最小外径から本来の設定外径に滑らかに変化するから、前記受止め部の内方偏倚領域の外周縁が径方向外方に飛び出すことを抑制しながらも、該受止め部の内方偏倚領域での受止め幅を極力広く確保することができる。
【００１２】
本発明による第３の特徴構成は、前記受止め部が板金製であり、この受止め部の一箇所又は環状方向複数箇所には、該受止め部を縮拡径させるための塑性変形可能な脆弱部が形成されている点にある。
【００１３】
上記特徴構成によれば、前記貫通孔に挿通されている長尺体に対して前記受止め部を外装する場合、板金製の受止め部の一箇所又は環状方向複数箇所に形成された脆弱部において拡径側に塑性変形することにより、前記受止め部の両自由端間に長尺体が通過可能な空間を現出することができるとともに、前記受止め部に径方向の外力を加えない限り、両自由端間に現出された空間を維持することができる。
【００１４】
また、前記受止め部を長尺体に外装したのち、受止め部の一箇所又は環状方向複数箇所に形成された脆弱部において縮径側に塑性変形することにより、該受止め部の外径を貫通孔に挿入可能な大きさに調整することができるとともに、その調整された外径に維持することができる。
更に、前記受止め部の環状方向複数箇所に前記脆弱部が形成されている場合には、各脆弱部での縮拡径操作によって、現場毎に異なる貫通孔の形状に適した好ましい形態を容易に現出することができる。
【００１５】
そして、この種の充填材支持具は、構造体の貫通孔に一旦装着されれば、保守、解体以外に取り出されることがないが故に、該充填材支持具の開閉操作回数は実質的に極めて少ない回数となるから、前記受止め部の脆弱部での塑性変形によって開閉する手段を採用しても割れ等を招来する虞がなく、しかも、縮拡径操作後の形態を維持することができるから、例えば、前記受止め部を、半円環状に分割された一対の半円環状受け板の一端部同士を揺動開閉自在に枢支連結してある場合のように、両半円環状受け板を任意の縮拡径操作形態に維持するための複雑な係止構造を設ける必要がなく、この種の充填材支持具の特性を利用した合理的な改造をもって該充填材支持具の構造の簡素化と製造コストの低廉化を図ることができる。
【００１６】
本発明による第４の特徴構成は、前記受止め部が板金製であり、この受止め部のうち、これの自由端と径方向で対向する一箇所又はこれを含む環状方向の複数箇所には、該受止め部を縮拡径させるための塑性変形可能な脆弱部が形成されている点にある。
【００１７】
上記特徴構成によれば、前記貫通孔に挿通されている長尺体に対して板金製の受止め部を外装する場合、該受止め部のうち、これの自由端と径方向で対向する一箇所又はこれを含む環状方向の複数箇所に形成された脆弱部において拡径側に塑性変形することにより、前記受止め部の両自由端間に長尺体が通過可能な空間を現出することができるとともに、前記受止め部に径方向の外力を加えない限り、両自由端間に現出された空間を維持することができる。
【００１８】
また、前記受止め部を長尺体に外装したのち、該受止め部のうち、これの自由端と径方向で対向する一箇所又はこれを含む環状方向の複数箇所に形成された脆弱部において縮径側に塑性変形することにより、該受止め部の外径を貫通孔に挿入可能な大きさに調整することができるとともに、その調整された外径に維持することができる。
更に、前記受止め部のうち、これの自由端と径方向で対向する一箇所を含む環状方向の複数箇所に前記脆弱部が形成されている場合には、各脆弱部での縮拡径操作によって、現場毎に異なる貫通孔の形状に適した好ましい形態を容易に現出することができるばかりでなく、中央の脆弱部を開閉操作の主体に使用し、それ以外の脆弱部を形状調整用として便利に使い分けることもできる。
【００１９】
そして、この種の充填材支持具は、構造体の貫通孔に一旦装着されれば、保守、解体以外に取り出されることがないが故に、該充填材支持具の開閉操作回数は実質的に極めて少ない回数となるから、前記受止め部の脆弱部での塑性変形によって開閉する手段を採用しても割れ等を招来する虞がなく、しかも、縮拡径操作後の形態を維持することができるから、例えば、前記受止め部を、半円環状に分割された一対の半円環状受け板の一端部同士を揺動開閉自在に枢支連結してある場合のように、両半円環状受け板を任意の縮拡径操作形態に維持するための複雑な係止構造を設ける必要がなく、この種の充填材支持具の特性を利用した合理的な改造をもって、該充填材支持具の構造の簡素化と製造コストの低廉化を図ることができる。
【００２０】
本発明による第５の特徴構成は、前記脆弱部が、前記受止め部の径方向内方に向かって開口する切込みによって構成されている点にある。
【００２１】
上記特徴構成によれば、前記脆弱部が、例えば薄肉によって構成する場合に比して、前記受止め部に対する加工の容易化と製造コストの低廉化を図ることができる。
【００２２】
本発明による第６の特徴構成は、前記受止め部が板金製であり、この受止め部のうち、これの自由端と径方向で対向する一箇所を含む複数箇所には、該受止め部を縮拡径させるための塑性変形可能な脆弱部が形成され、この脆弱部の各々が、前記受止め部の径方向内方に向かって開口する切込みによって構成され、そのうち、前記受止め部の自由端と径方向で対向する中央位置の切込みが、他の部位の切込みよりも環状方向で広幅に形成されている点にある。
【００２３】
上記特徴構成によれば、前記受止め部の複数の脆弱部うち、受止め部の自由端と径方向で対向する中央位置の脆弱部を縮拡径方向での開閉操作の主体に使用し、それ以外の脆弱部を受止め部の形状調整用として便利に使い分けながらも、開閉操作量の大きな中央位置の脆弱部を構成する切込みを、他の部位の脆弱部を構成する切込みよりも環状方向で広幅に形成してあるから、塑性変形による応力集中を環状方向で分散することができ、割れ等の発生を抑制することができる。
【００２４】
本発明による第７の特徴構成は、前記受止め部の外周縁のうち、前記中央切込みの中心線と交差する部位に、径方向外方に突出する凸部が一体形成されている点にある。
上記特徴構成によれば、前記中央の脆弱部を主体にして縮拡径方向で大きく開閉操作しても、前記受止め部の外周縁における中央切込みの中心線と交差する部位での割れ等の発生を抑制することができる。
【００２５】
本発明による第８の特徴構成は、構造体に形成された貫通孔とこれに挿通された長尺体との間の環状空間内に入り込んだ位置で充填材を受止め可能な略環状で、かつ、その環状方向の一箇所が自由端となる開閉可能な板金製の受止め部の環状方向複数箇所に、前記構造体における貫通孔の開口周縁に係止可能な係止部が設けられているとともに、前記受止め部の自由端側に偏倚した部位には、これから自由端までの部位を径方向内方側に折り曲げるための塑性変形可能な脆弱部が形成されている点にある。
【００２６】
上記特徴構成によれば、前記構造体に形成された貫通孔とこれに挿通された長尺体との間の環状空間内に入り込んだ位置で充填材を受止める際、環状方向の一箇所が自由端となる略環状の受止め部を開閉操作して、該受止め部の外径を現場の貫通孔の内径に応じて調整することができるが、特に、前記貫通孔の内径が設定内径よりも小さい場合には、前記受止め部の自由端側に偏倚した部位に形成した脆弱部を縮径側に塑性変形して、その脆弱部形成位置から自由端までの部位を径方向内方側に折り曲げることにより、前記受止め部の両自由端を重合させた状態で縮径操作したとき、この受止め部の自由端部側の外周縁が径方向内方側に折り曲げた分だけ径方向外方に飛び出すことを抑制することができる。
【００２７】
従って、前記貫通孔への装着作業の容易化を図ること同時に、充填材の支持機能を確保しながら貫通孔の内径変動を容易に吸収することができるから、貫通孔の防火処置作業能率の向上を図ることができる。
【発明を実施するための最良の形態】
【００２８】
〔第１実施形態〕
図１〜図７は、構造体の一例である鉄筋コンクリート製床スラブ（構造床）Ｆに形成された貫通孔Ｈとこれに挿通された長尺体の一例である空調配管やケーブル等の配管類Ｃとの間の環状空間Ｓを防火用パテ等の充填材Ｂで閉塞する場合に用いられる板金製の充填材支持具Ａを示し、前記貫通孔Ｈとこれに挿通された配管類Ｃとの間の環状空間Ｓ内に入り込んだ位置で充填材Ｂを受止め可能な略円環状で、かつ、その環状方向の一箇所が自由端１ａとなる開閉可能な金属板製（例えば、溶融亜鉛メッキ鋼板）の受止め部Ａ１の環状方向複数箇所（当該実施形態では４箇所）に、前記床スラブＦの外壁面Ｆａにおける貫通孔Ｈの開口周縁に係止可能な金属板製（例えば、溶融亜鉛メッキ鋼板）の係止部Ａ２が一体的に折り曲げ形成されている。
【００２９】
前記受止め部Ａ１のうち、これの両自由端１ａと径方向で対向する一箇所を含む環状方向の複数箇所（当該実施形態では合計７箇所）には、該受止め部Ａ１を縮拡径させるための塑性変形可能な脆弱部３，４が形成されているとともに、前記受止め部Ａ１のうち、これの自由端１Ａ側に最も近接位置する両係止部Ａ２の近傍から自由端１ａまでの自由端部の外周縁１ｂ、換言すれば、前記受止め部Ａ１を設定最小外径にまで縮径させたときにおける該受止め部Ａ１の両端部の重合代に相当する範囲若しくはそれに近い範囲Ｌの外周縁１ｂが、他の部位、つまり、前記自由端１Ａ側に最も近接位置する両係止部Ａ２から中央側部位の円形状外周縁１ｃよりも径方向内方に偏倚させて形成され、この受止め部Ａ１の前記範囲である内方偏倚領域Ｌの外周縁１ｂが、前記自由端１ａ側ほど小径となるテーパー状又はそれに近い形状に形成されている。
【００３０】
そして、前記床スラブＦの貫通孔Ｈとこれに挿通された配管類Ｃとの間の環状空間Ｓ内に入り込んだ位置で充填材Ｂを受止める際、環状方向の一箇所が自由端となる受止め部Ａ１の脆弱部３，４のうち、前記両自由端１ａと径方向で対向する中央位置の脆弱部３を主体に塑性変形させて開閉操作することにより、該受止め部Ａ１の外径を現場の貫通孔Ｈの内径に応じて調整することができるが、特に、前記貫通孔Ｈの内径が設定内径よりも小さい場合において、前記受止め部Ａ１の両端部を重合させた状態で縮径操作したとき、この受止め部Ａ１の内方偏倚領域Ｌのテーパー状外周縁１ｂが他の部位の円形状外周縁１ｃよりも径方向内方に偏倚する分だけ、該受止め部Ａ１の内方偏倚領域Ｌのテーパー状外周縁１ｂが貫通孔Ｈの内径よりも径方向外方に飛び出すことを防止することができる。
【００３１】
前記受止め部Ａ１は、前記床スラブＦに形成される貫通孔Ｈの設定標準内径よりも少し小なる外径と、前記配管類Ｃを挿通するための挿通孔の設定標準内径よりも少し大なる内径とをもって円周方向の一箇所が切断された略円環状の受止め板１に形成され、この円環状受止め板１の上面が充填材Ｂの載置面に構成されているとともに、前記円環状受止め板１のうち、前記中央位置の脆弱部３とそれの左右両側に隣接する脆弱部４との間の中間位置、及び前記両自由端１ａに最も近接位置する最先端側の脆弱部４と内方偏倚領域Ｌの中央側端との間の中間位置に夫々前記係止部Ａ２が一体的に折り曲げ形成されている。
【００３２】
前記係止部Ａ２は、前記貫通孔Ｈの内周壁面Ｆｂに沿って開口側に延出される脚片２Ａと、前記床スラブＦの外壁面Ｆａにおける貫通孔Ｈの開口周縁に係止可能な状態で前記脚片２Ａの先端を径方向外方に直角に折り曲げて形成された係止片２Ｂとから構成され、前記係止片２Ｂには、床スラブＦの外壁面Ｆａにコンクリートネジ５等で固定するための取付け孔２ａが形成されているとともに、前記脚片２Ａと円環状受止め板１との折曲げ角部には、二条の三角状のリブ２ｂが外方側から打ち出し形成されている。
【００３３】
前記脆弱部３，４の各々は、前記円環状受止め板１の径方向内方に向かって開口する切込みの切込み形成によって円環状受止め板１の径方向幅を小さくすることにより構成され、そのうち、前記円環状受止め板１の両自由端１ａと径方向で対向する中央位置の切込み３が、他の部位の切込み４よりも環状方向で広幅にかつ深く形成されている。
【００３４】
前記円環状受止め板１は、それの両自由端１ａ同士が円環状方向から接当する又は近接する閉じ状態で製作してもよいが、当該実施形態では、図５に示すように、前記円環状受止め板１の円形状外周縁１ｃと中央位置にある切込み３の中心線Ｙとの交差点Ｘと前記両自由端１ａの先端とを結ぶ開き角度θが、前記貫通孔Ｈに挿通された配管類Ｃに対して外装可能な設定開き角度、つまり、前記両自由端１ａ間に配管類Ｃが通過可能な間隔を現出することのできる設定開き角度（例えば、６０度）となる状態で製作してある。
【００３５】
前記中央位置の切込み３は、図５、図６に示すように、前記設定開き角度よりも少し環状方向両側に拡がったＳ字状の両側縁３ａによって形成される広幅の内径側切込み部３Ａと、前記両Ｓ字状側縁３ａに連続する状態で設定開き角度と略等しい幅で弧状に湾曲する天井縁３ｂによって形成される外径側切込み部３Ｂとから構成されているとともに、前記円環状受止め板１の円形状外周縁１ｃのうち、前記中央位置の切込み３の中心線Ｙと交差する部位には、径方向外方に突出する半円弧状の凸部１ｄが一体形成されている。
【００３６】
そのため、図７に示すように、前記円環状受止め板１の両自由端１ａ同士が接当又は近接する閉じ姿勢に塑性変形させた状態では、前記中央位置の切込み３は、全ての角が円弧状となる丸みのある凸形状になり、更に、前記凸部１ｄは引張による伸延作用によって円形状外周縁１ｃと略面一となる状態にまで窪み、割れ等の発生を抑制している。
【００３７】
そして、前記貫通孔Ｈに挿通されている配管類Ｃに対して充填材支持具Ａの受止め部Ａ１を外装するにあたって、前記受止め部Ａの両自由端１ａ同士が接当又は近接する閉じ状態で充填材支持具Ａが製作されている場合では、前記受止め部Ａ１の円環状受止め板１に形成された複数の脆弱部３，４のうち、円環状受止め板１の両自由端１ａと径方向で対向する中央位置の脆弱部を構成する切込み３においてのみ拡径側に塑性変形する、又はこの切込み３とこれの環状方向両側に形成された複数の脆弱部を構成する切込み４において拡径側に塑性変形することにより、前記円環状受止め板１の両自由端１ａ間に配管類Ｃが通過可能な空間を現出することができるとともに、前記円環状受止め板１に径方向の外力を加えない限り、両自由端１ａ間に現出された空間を維持することができる。
また、前記両自由端１ａ間に配管類Ｃが通過可能な間隔を現出する設定開き角度で予め製作されている充填材支持具Ａの場合では、前記円環状受止め板１を中央位置の切込み３又はその他の切込み４と共に拡径側に塑性変形する工程が省略されるので、割れ等の発生を抑制することができる。
【００３８】
また、前記受止め部Ａ１を配管類Ｃに外装したのち、前記円環状受止め板１の両自由端１ａと径方向で対向する中央位置の切込み３においてのみ縮径側に塑性変形する、又はこの切込み３とこれの環状方向両側に形成された複数の切込み４において縮径側に塑性変形することにより、該受止め部Ａ１の外径を貫通孔Ｈに挿入可能な大きさに簡単かつ確実に調整することができるとともに、その調整された外径に維持することができる。
【００３９】
そして、この種の充填材支持具Ａは、床スラブＦの貫通孔Ｈに一旦装着されれば、保守、解体以外に取り出されることがないが故に、該充填材支持具Ａの開閉操作回数は実質的に極めて少ない回数となるから、前記受止め部Ａ１の脆弱部３，４での塑性変形によって開閉する手段を採用しても割れ等を招来する虞がなく、しかも、縮拡径操作後の形態を維持することができる。それ故に、この種の充填材支持具Ａの特性を利用した上述の合理的な改造をもって、該充填材支持具Ａの構造の簡素化と製造コストの低廉化を図ることができる。
【００４０】
尚、前記充填材Ｂとしては種々の防火用のものが存在するが、例えば、図２に示すように、巻装された長尺な厚さが約２ｍｍ程度の可撓性を有する熱膨張性耐火材シートを用いることができる。この熱膨張性耐火材シートＢは、耐火性材料、防音性材料の一例である断熱性を備えたロックウールの短繊維を主体に、火災時に膨張するように熱膨張性材料の一例である未焼成バーミキュライト粉末を含有させてフェルト状に湿式抄造によって製造される。
【００４１】
〔第２実施形態〕
図８は板金製の充填材支持具Ａの別実施形態を示し、前記床スラブＦに形成された貫通孔Ｈとこれに挿通された配管類Ｃとの間の環状空間Ｓ内に入り込んだ位置で充填材Ｂを受止め可能な略円環状で、かつ、その環状方向の一箇所が自由端１ａとなる開閉可能な金属板製の受止め部Ａ１を、前記貫通孔Ｈの設定標準内径よりも少し小なる外径と、前記配管類Ｃを挿通するための挿通孔の設定標準内径よりも少し大なる内径とをもって半円環状に形成された一対の半円環状受け板１Ａ，１Ｂに分割構成し、この両半円環状受け板１Ａ，１Ｂの一端部同士をはと目６等の枢支連結手段により揺動開閉自在に枢支連結してある。
【００４２】
前記各半円環状受け板１Ａ，１Ｂの環状方向の複数箇所（当該実施形態では合計３箇所）には、受止め部Ａ１を縮拡径させるための塑性変形可能な脆弱部４が形成されているとともに、前記各半円環状受け板１Ａ，１Ｂのうち、これの自由端１Ａ側に最も近接位置する係止部Ａ２の近傍から自由端１ａまでの自由端部の外周縁１ｂ、換言すれば、前記受止め部Ａ１を設定最小外径にまで縮径させたときにおける該受止め部Ａ１の両端部の重合代に相当する範囲若しくはそれに近い範囲Ｌの外周縁１ｂが、他の部位の円形状外周縁１ｃよりも径方向内方に偏倚させて形成され、この受止め部Ａ１の前記範囲である内方偏倚領域Ｌの外周縁１ｂが、前記自由端１ａ側ほど小径となるテーパー状又はそれに近い形状（例えば、弧状や階段状等を含む）に形成されている。
【００４３】
前記脆弱部４の各々は、前記半円環状受け板１Ａ，１Ｂの径方向内方に向かって略Ｕ字状に開口する切込みを切込み形成して、その切込み形成箇所における半円環状受け板１Ａ，１Ｂの径方向幅を小さくすることにより構成されている。
尚、その他の構成は、第１実施形態で説明した構成と同一であるから、同一の構成箇所には、第１実施形態と同一の番号を付記してそれの説明は省略する。
【００４４】
〔第３実施形態〕
図９は板金製の充填材支持具Ａの別実施形態を示し、前記床スラブＦの貫通孔Ｈとこれに挿通された配管類Ｃとの間の環状空間Ｓ内に入り込んだ位置で充填材Ｂを受止め可能な略円環状で、かつ、その環状方向の一箇所が自由端１ａとなる開閉可能な金属板製の受止め部Ａ１の環状方向複数箇所（当該実施形態では４箇所）に、前記床スラブＦの外壁面Ｆａにおける貫通孔Ｈの開口周縁に係止可能な金属板製の係止部Ａ２が一体的に折り曲げ形成されている。
【００４５】
前記受止め部Ａ１のうち、これの自由端１Ａ側に最も近接位置する両係止部Ａ２よりも中間部側で、かつ、前記両自由端１ａと径方向で対向する一箇所を含む環状方向の複数箇所（当該実施形態では合計９箇所）には、該受止め部Ａ１を縮拡径させるための塑性変形可能な脆弱部３，４が形成されているとともに、前記受止め部Ａ１の自由端１ａ側に偏倚した部位、詳しくは、前記自由端１ａ側に最も近接位置する両係止部Ａ２の自由端１ａ側の近傍箇所には、これから自由端１ａまでの部位を径方向内方側に折り曲げるための塑性変形可能な脆弱部７が形成されている。
【００４６】
前記受止め部Ａ１のうち、前記自由端１ａ側に最も近接位置する両係止部Ａ２から両自由端１ａまでの内周縁１ｅ、換言すれば、前記受止め部Ａ１を設定最小外径にまで縮径させたときにおける該受止め部Ａ１の両端部の重合代に相当する範囲若しくはそれに近い範囲Ｌの内周縁１ｅが、他の部位の円形状内周縁１ｆよりも径方向外方に偏倚させて形成され、この受止め部Ａ１の前記範囲である外方偏倚領域Ｌ１の内周縁１ｅが、前記自由端１ａ側ほど大径となるテーパー状又はそれに近い形状に形成されている。
【００４７】
前記受止め部Ａ１は、前記床スラブＦに形成される貫通孔Ｈの設定標準内径よりも少し小なる外径と、前記配管類Ｃを挿通するための挿通孔の設定標準内径よりも少し大なる内径とをもって円周方向の一箇所が切断された略円環状の受止め板１に形成されているとともに、前記脆弱部３，４，７の各々は、前記円環状受止め板１の径方向内方に向かって開口する切込みを切込み形成して、その切込み形成箇所における円環状受止め板１の径方向幅を小さくすることにより構成されている。
【００４８】
前記床スラブＦに形成された貫通孔Ｈとこれに挿通された配管類Ｃとの間の環状空間Ｓ内に入り込んだ位置で充填材Ｂを受止める際、環状方向の一箇所が自由端１ａとなる略環状の受止め部Ａ１の脆弱部３，４での塑性変形による拡縮径により、該受止め部Ａ１の外径を現場の貫通孔Ｈの内径に応じて調整することができるが、特に、前記貫通孔Ｈの内径が設定内径よりも小さい場合には、前記受止め部Ａ１の自由端１ａ側に偏倚した部位に形成した脆弱部７を縮径側に塑性変形して、その脆弱部７の形成位置から自由端１ａまでの部位を径方向内方側に折り曲げることにより、前記受止め部Ａ１の両自由端１ａ側を重合させた状態で縮径操作したとき、この受止め部Ａ１の自由端１ａ側の外周縁が径方向内方側に折り曲げた分だけ径方向外方に飛び出すことを抑制することができる。
【００４９】
しかも、前記受止め部Ａ１の外方偏倚領域Ｌ１の内周縁１ｅが、前記自由端１ａ側ほど大径となるテーパー状又はそれに近い形状に形成されているから、前述のように前記脆弱部７の形成位置から自由端１ａまでの部位を径方向内方側に折り曲げても、前記外方偏倚領域Ｌ１の内周縁１ｅが前記配管類Ｃの挿通経路内に突出することがない。
【００５０】
それ故に、前記貫通孔Ｈへの装着作業の容易化を図ること同時に、充填材Ｂの支持機能を確保しながら貫通孔Ｈの内径変動を容易に吸収することができるから、貫通孔Ｈの防火処置作業能率の向上を図ることができる。
尚、その他の構成は、第１実施形態で説明した構成と同一であるから、同一の構成箇所には、第１実施形態と同一の番号を付記してそれの説明は省略する。
【００５１】
〔その他の実施形態〕
（１）上述の各実施形態では、前記構造体として鉄筋コンクリート製床スラブ（構造床）Ｆを例に挙げて説明したが、この構造体としては構造壁や防火区画仕切壁等であってもよい。
【００５２】
（２）上述の各実施形態では、前記受止め部Ａ１の一箇所又は環状方向複数箇所に、該受止め部Ａ１を縮拡径させるための塑性変形可能な脆弱部３，４を形成したが、本発明の技術は、上述のような脆弱部３，４を有さない充填材支持具にも適用することができる。
【００５３】
（３）上述の各実施形態では、前記受止め部Ａ１の環状方向複数箇所に、前記床スラブＦの外壁面Ｆａにおける貫通孔Ｈの開口周縁に係止可能な係止部Ａ２を一体的に折り曲げ形成したが、この受止め部Ａ１と係止部Ａ２とを各別に製作して、溶接やネジ等の固定手段で一体化とてもよい。
【００５４】
（４）上述の各実施形態では、前記３，４，７の各々を、前記円環状受止め板１の径方向内方に向かって開口する切込みを切込み形成して、その切込み形成箇所における円環状受止め板１の径方向幅を小さくすることにより構成したが、前記円環状受止め板１の厚みを薄くしたり、或いは、材質を変えることにより構成してもよい。
【図面の簡単な説明】
【００５５】
【図１】本発明の充填材支持具の第１実施形態を示す施工前の分解斜視図
【図２】施工後の縦断面図
【図３】施工後の平面図
【図４】施工後の水平断面図
【図５】充填材支持具の平面図
【図６】充填材支持具の中央位置の脆弱部の拡大平面図
【図７】充填材支持具を縮径操作したときの中央位置の脆弱部の拡大平面図
【図８】本発明の充填材支持具の第２実施形態を示す平面図
【図９】本発明の充填材支持具の第３実施形態を示す平面図
【符号の説明】
【００５６】
Ａ        充填材支持具
Ａ１      受止め部
Ａ２      係止部
Ｂ        充填材
Ｃ        長尺体（配管類）
Ｆ        構造体（床スラブ）
Ｈ        貫通孔
Ｌ        内方偏倚領域
Ｙ        中心線
１ａ      自由端
１ｂ      外周縁（テーパー状外周縁）
１ｃ      外周縁（円形状外周縁）
１ｄ      凸部
３        脆弱部
４        脆弱部
７        脆弱部
【図１】
2008240271.tif 000003
【図２】
2008240271.tif 000004
【図３】
2008240271.tif 000005
【図４】
2008240271.tif 000006
【図５】
2008240271.tif 000007
【図６】
2008240271.tif 000008
【図７】
2008240271.tif 000009
【図８】
2008240271.tif 000010
【図９】
2008240271.tif 000011